(57)【要約】【課題】掃除面の材質等に関係なく安定して静電気を発生させ、掃除面の状況によらず均質に掃除できる掃除道具を提供する。【解決手段】掃除道具１Ａは、掃除面ＳＳを回転して移動するローラー部１０と、ローラー部１０に接触して配置され、ゴミを収容する収容容器３０ａと、ローラー部１０および収容容器３０ａの間の接触状態を保持する保持部５０と、を備える。ローラー部１０は、保持部５０に支持された支持軸１５と、支持軸１５の外側で回転する回転体１６と、回転体１６の表面に結合されて掃除面ＳＳを走行する回転掃除部１７とを有する。収容容器３０ａは、支持軸１５の長さ方向に配置されてゴミが収容される開口部と、開口部の周囲で回転掃除部１７と摩擦される摩擦面３１を有する。回転掃除部１７および摩擦面３１は、互いに摩擦されたときの帯電列において互いに離れた位置となる異なる絶縁体で形成される。【選択図】図１
2017023179.tif 000002
【特許請求の範囲】
【請求項１】
掃除対象である掃除面を回転しながら移動する少なくとも一つのローラー部と、前記ローラー部の外周に接触して配置され、ゴミを収容する収容容器と、前記ローラー部および前記収容容器の間の接触状態を保持する保持部と、を備える掃除道具であって、
前記ローラー部は、前記保持部に支持された支持軸と、前記支持軸の外側で回転する回転体と、前記回転体の表面に結合されて前記掃除面を走行する回転掃除部とを有し、
前記収容容器は、前記支持軸の長さ方向に配置されて前記ゴミが収容される開口部と、前記開口部の周囲で前記回転掃除部と摩擦される摩擦面を有し、
前記回転掃除部および前記摩擦面は、互いに摩擦されたときに生じる電荷の極性関係を示す帯電列において互いに離れた位置となる異なる絶縁体で形成されている
ことを特徴とする掃除道具。
【請求項２】
請求項１に記載の掃除道具であって、
前記保持部は、前記ローラー部の両端に対称に配置された２つの枝部と、前記２つの枝部を結合する結合部とを有するＵ字型であり、
前記２つの枝部は、それぞれの先端で前記支持軸の両端を保持し、前記回転掃除部に接触させて前記収容容器を保持する
ことを特徴とする掃除道具。
【請求項３】
請求項１に記載の掃除道具であって、
前記ローラー部は、２個が平行に配置されて一方が第１ローラー部、他方が第２ローラー部とされ、
前記第１ローラー部は、前記回転掃除部としての第１回転掃除部を有し、前記第２ローラー部は、前記回転掃除部としての第２回転掃除部を有し、
前記保持部は、前記第１ローラー部の一端および前記第２ローラー部の一端を保持して連結する第１連結部と、前記第１ローラー部の他端および前記第２ローラー部の他端を保持する第２連結部とを有し、
前記第１連結部および前記第２連結部は、前記第１ローラー部と前記第２ローラー部との間で前記収容容器を保持し、
前記収容容器は、前記第１回転掃除部の側に配置された前記開口部としての第１開口部と、前記第２回転掃除部の側に配置された前記開口部としての第２開口部とを有し、前記第１開口部が形成された前記摩擦面としての第１摩擦面と、前記第２開口部が形成された前記摩擦面としての第２摩擦面とを有する
ことを特徴とする。
【請求項４】
請求項３に記載の掃除道具であって、
前記保持部は、前記第１連結部と前記第２連結部とを連結するＵ字型の共通連結部を有する
ことを特徴とする。
【請求項５】
請求項３または請求項４に記載の掃除道具であって、
前記第１回転掃除部および前記第２回転掃除部は、同じ絶縁体で形成され、前記第１摩擦面および前記第２摩擦面は、同じ絶縁体で形成されている
ことを特徴とする。
【請求項６】
請求項３または請求項４に記載の掃除道具であって、
前記第１回転掃除部および前記第２回転掃除部は、互いに異なる絶縁体で形成され、前記第１摩擦面および前記第２摩擦面は、互いに異なる絶縁体で形成されている
ことを特徴とする。
【請求項７】
請求項６に記載の掃除道具であって、
前記第１回転掃除部を形成する絶縁体は、前記第２摩擦面を形成する絶縁体と同じであり、
前記第２回転掃除部を形成する絶縁体は、前記第１摩擦面を形成する絶縁体と同じである
ことを特徴とする。
【請求項８】
第１支持軸の周りを回転しながら掃除対象である掃除面に沿って移動する第１回転部と、前記第１支持軸に平行に配置された第２支持軸の周りを回転しながら前記掃除面に沿って移動する第２回転部と、第１回転部および第２回転部の間に配置されてゴミを収容する収容容器と、を備える掃除道具であって、
前記第１支持軸、前記第２支持軸、および前記収容容器を保持する保持部と、
前記第１回転部および前記第２回転部の外側に配置され、前記第１回転部および前記第２回転部の回転により駆動される無終端ベルトと、を有し、
前記収容容器は、前記無終端ベルトの外側に接触して相互に摩擦される摩擦面と、前記無終端ベルトの幅方向で前記摩擦面に形成され、前記ゴミが収容される開口部とを有し、
前記無終端ベルトおよび前記摩擦面は、互いに摩擦されたときに生じる電荷の極性関係を示す帯電列において互いに離れた位置となる異なる絶縁体で形成されている
ことを特徴とする掃除道具。
【請求項９】
請求項８に記載の掃除道具であって、
前記無終端ベルトは、前記幅方向に平行に並べられた複数の並列ベルトで形成され、少なくとも１の前記並列ベルトを形成する絶縁体は、前記摩擦面を形成する絶縁体に対して、帯電列において正極性側に位置し、少なくとも１の他の前記並列ベルトを形成する絶縁体は、前記摩擦面を形成する絶縁体に対して、帯電列において負極性側に位置する
ことを特徴とする。
【請求項１０】
請求項８または請求項９に記載の掃除道具であって、
前記保持部は、前記第１支持軸、前記第２支持軸、および前記収容容器を保持する枠体と、前記無終端ベルトの天面側を覆って前記枠体に結合された天板とを有する
ことを特徴とする。
【発明の詳細な説明】
【技術分野】
【０００１】
本発明は、静電気の作用を利用した掃除道具に関する。
【背景技術】
【０００２】
電力を必要としない掃除道具が提案されている。
図８は、従来の掃除道具を示す斜視図である。
従来の掃除道具１００は、取手１０３の先端に保持部１０２が連結され、保持部１０２に先端部１０２が取り付けられている（例えば、特許文献１参照）。
先端部１０２は、床、カーペット、畳などと摩擦される。摩擦された先端部１０２は、静電気を発生して帯電する。掃除道具１００は、先端部１０２の静電気が有する吸着力によって床面などのゴミを収集する。
【０００３】
掃除道具１００は、床を利用して静電気を帯電させることから、静電気の発生状況が床の材質に依存して変動する。このため、床の種類によって掃除状態が変動し、安定した掃除ができない。
【先行技術文献】
【特許文献】
【０００４】
【特許文献１】実用新案登録第３０９２７１４号
【発明の概要】
【発明が解決しようとする課題】
【０００５】
従来の掃除道具１００においては、床の種類に応じて掃除状況が変動するという課題があった。
本発明はこのような状況に鑑みてなされたものであり、掃除面の材質、状況に関係なく安定して静電気を発生させ、掃除面の状況によらず均質に掃除できる掃除道具を提供することを目的とする。
【課題を解決するための手段】
【０００６】
本発明に係る掃除道具は、掃除対象である掃除面を回転しながら移動する少なくとも一つのローラー部と、前記ローラー部の外周に接触して配置され、ゴミを収容する収容容器と、前記ローラー部および前記収容容器の間の接触状態を保持する保持部と、を備える掃除道具であって、前記ローラー部は、前記保持部に支持された支持軸と、前記支持軸の外側で回転する回転体と、前記回転体の表面に結合されて前記掃除面を走行する回転掃除部とを有し、前記収容容器は、前記支持軸の長さ方向に配置されて前記ゴミが収容される開口部と、前記開口部の周囲で前記回転掃除部と摩擦される摩擦面を有し、前記回転掃除部および前記摩擦面は、互いに摩擦されたときに生じる電荷の極性関係を示す帯電列において互いに離れた位置となる異なる絶縁体で形成されていることを特徴とする。
上記構成によって、本発明に係る掃除道具は、電気による動力を用いない簡単な構造で安定した帯電電荷を発生させるので、掃除面の状況によらず、掃除面を容易にかつ均質に掃除できる。
本発明の一態様に係る掃除道具において、前記保持部は、前記ローラー部の両端に対称に配置された２つの枝部と、前記２つの枝部を結合する結合部とを有するＵ字型であり、前記２つの枝部は、それぞれの先端で前記支持軸の両端を保持し、前記回転掃除部に接触させて前記収容容器を保持することを特徴とする。
【０００７】
本発明の一態様に係る掃除道具において、前記ローラー部は、２個が平行に配置されて一方が第１ローラー部、他方が第２ローラー部とされ、前記第１ローラー部は、前記回転掃除部としての第１回転掃除部を有し、前記第２ローラー部は、前記回転掃除部としての第２回転掃除部を有し、前記保持部は、前記第１ローラー部の一端および前記第２ローラー部の一端を保持して連結する第１連結部と、前記第１ローラー部の他端および前記第２ローラー部の他端を保持する第２連結部とを有し、前記第１連結部および前記第２連結部は、前記第１ローラー部と前記第２ローラー部との間で前記収容容器を保持し、前記収容容器は、前記第１回転掃除部の側に配置された前記開口部としての第１開口部と、前記第２回転掃除部の側に配置された前記開口部としての第２開口部とを有し、前記第１開口部が形成された前記摩擦面としての第１摩擦面と、前記第２開口部が形成された前記摩擦面としての第２摩擦面とを有することを特徴とする。
本発明の一態様に係る掃除道具において、前記保持部は、前記第１連結部と前記第２連結部とを連結するＵ字型の共通連結部を有することを特徴とする。
【０００８】
本発明の一態様に係る掃除道具において、前記第１回転掃除部および前記第２回転掃除部は、同じ絶縁体で形成され、前記第１摩擦面および前記第２摩擦面は、同じ絶縁体で形成されていることを特徴とする。
本発明の一態様に係る掃除道具において、前記第１回転掃除部および前記第２回転掃除部は、互いに異なる絶縁体で形成され、前記第１摩擦面および前記第２摩擦面は、互いに異なる絶縁体で形成されていることを特徴とする。
本発明の一態様に係る掃除道具において、前記第１回転掃除部を形成する絶縁体は、前記第２摩擦面を形成する絶縁体と同じであり、前記第２回転掃除部を形成する絶縁体は、前記第１摩擦面を形成する絶縁体と同じであることを特徴とする。
【０００９】
本発明に係る掃除道具は、第１支持軸の周りを回転しながら掃除対象である掃除面に沿って移動する第１回転部と、前記第１支持軸に平行に配置された第２支持軸の周りを回転しながら前記掃除面に沿って移動する第２回転部と、第１回転部および第２回転部の間に配置されてゴミを収容する収容容器と、を備える掃除道具であって、前記第１支持軸、前記第２支持軸、および前記収容容器を保持する保持部と、前記第１回転部および前記第２回転部の外側に配置され、前記第１回転部および前記第２回転部の回転により駆動される無終端ベルトと、を有し、前記収容容器は、前記無終端ベルトの外側に接触して相互に摩擦される摩擦面と、前記無終端ベルトの幅方向で前記摩擦面に形成され、前記ゴミが収容される開口部とを有し、前記無終端ベルトおよび前記摩擦面は、互いに摩擦されたときに生じる電荷の極性関係を示す帯電列において互いに離れた位置となる異なる絶縁体で形成されていることを特徴とする。
本発明の一態様に係る掃除道具において、前記無終端ベルトは、前記幅方向に平行に並べられた複数の並列ベルトで形成され、少なくとも１の前記並列ベルトを形成する絶縁体は、前記摩擦面を形成する絶縁体に対して、帯電列において正極性側に位置し、少なくとも１の他の前記並列ベルトを形成する絶縁体は、前記摩擦面を形成する絶縁体に対して、帯電列において負極性側に位置することを特徴とする。
本発明の一態様に係る掃除道具において、前記保持部は、前記第１支持軸、前記第２支持軸、および前記収容容器を保持する枠体と、前記無終端ベルトの天面側を覆って前記枠体に結合された天板とを有することを特徴とする。
【発明の効果】
【００１０】
本発明に係る掃除道具は、電気による動力を用いない簡単な構造で安定した帯電電荷を発生させるので、掃除面の状況によらず、掃除面を容易にかつ均質に掃除できるという効果を奏する。
【図面の簡単な説明】
【００１１】
【図１】本発明の実施の形態１に係る掃除道具の概要を示す斜視図。
【図２】図１に示した掃除道具の要部を支持軸と直交する平面で切断したときの要部断面図。
【図３】本発明の実施の形態２に係る掃除道具の支持軸の軸方向から見た概要を示す側面図。
【図４】図３に示した掃除道具の要部を支持軸と直交する平面で切断したときの要部断面図。
【図５】本発明の実施の形態４に係る掃除道具の概要を示す斜視図。
【図６】図５に示した掃除道具の要部を支持軸と直交する平面で切断したときの要部断面図。
【図７】本発明の実施の形態５に係る掃除道具の並列ベルトを天面側から見た平面状態を示す要部平面図。
【図８】従来の掃除道具を示す斜視図。
【発明を実施するための形態】
【００１２】
以下、本発明の実施の形態について図面を参照して説明する。
［実施の形態１］
図１および図２を参照して、本発明の実施の形態１に係る掃除道具１Ａについて説明する。
図１は、本発明の実施の形態１に係る掃除道具１Ａの概要を示す斜視図である。
図２は、図１に示した掃除道具１Ａの要部を支持軸１５と直交する平面で切断したときの断面図である。
【００１３】
掃除道具１Ａは、掃除対象である掃除面ＳＳを回転しながら移動する少なくとも一つのローラー部１０と、ローラー部１０の外周に接触して配置され、ゴミ（不図示。以下同様）を収容する収容容器３０ａと、ローラー部１０および収容容器３０ａの間の接触状態を保持する保持部５０と、を備える。
ローラー部１０は、保持部５０に支持された支持軸１５と、支持軸１５の外側で回転する回転体１６と、回転体１６の表面に結合されて掃除面ＳＳを走行する回転掃除部１７とを有する。
収容容器３０ａは、支持軸１５の長さ方向に配置されてゴミが収容される開口部３２と、開口部３２の周囲で回転掃除部１７と摩擦される摩擦面３１を有する。
回転掃除部１７および摩擦面３１は、互いに摩擦されたときに生じる電荷の極性関係を示す帯電列において互いに離れた位置となる異なる絶縁体で形成されている。
【００１４】
ローラー部１０を掃除面ＳＳに接触させて掃除面ＳＳに対して保持部５０を動かすと、回転掃除部１７は、支持軸１５の周りで回転する。このとき、回転掃除部１７と摩擦面３１は相互に接触しているから、回転掃除部１７と摩擦面３１とは相互に摩擦される。回転掃除部１７および摩擦面３１は、摩擦によって生じる電荷の極性を示す帯電列において、離れた位置を占める異なる絶縁体で形成されている。このため、回転掃除部１７に帯電する電荷の極性と、摩擦面３１に帯電する電荷の極性とは互いに異なる逆の極性となる。つまり、ローラー部１０を回転させて、回転掃除部１７と摩擦面３１とを互いに摩擦すると、回転掃除部１７と摩擦面３１とはそれぞれ異なる極性の電荷を帯電した状態となる。
本実施の形態では、回転掃除部１７は、例えばポリエステル繊維で形成され、摩擦面３１は、例えばナイロンシートで形成されている。この場合、回転掃除部１７の帯電電荷の極性は、第１極性（例えば、負極性）となり、摩擦面３１の帯電電荷の極性は、第１極性とは逆の第２極性（例えば、正極性）となる。
【００１５】
この帯電状態で、掃除面ＳＳに対してローラー部１０（回転掃除部１７）を回転させて一方向へ移動させる。ローラー部１０の回転移動に伴って掃除面ＳＳのゴミは、回転掃除部１７が帯電する第１極性（負極性）からの影響を受けて相対的に第２極性（正極性）に帯電し、正電荷と負電荷との間に作用する静電吸引力によって回転掃除部１７に吸着される。回転掃除部１７に吸着されたゴミは、回転掃除部１７の回転に従って摩擦面３１を経て開口部３２へ到達する。
まず、摩擦面３１に接近したゴミ（正極性）は、摩擦面３１の第２極性（正極性）からの影響を受けて相対的に第１極性（負極性）に帯電状態が変化する。つまり、ゴミは、摩擦面３１の第２極性の電荷からの影響で第１極性（負極性）に帯電し、回転掃除部１７が帯電している第１極性（負極性）と同じ極性となる。開口部３２へ到達したゴミは、同じ極性の電荷の間に作用する静電反発力によって回転掃除部１７の電荷に対して反発する。したがって、回転掃除部１７に吸着されていたゴミ（負極性）は、開口部３２で回転掃除部１７（負極性）から離れて収容容器３０ａの内部へ収容される。
【００１６】
すなわち、掃除道具１Ａは、掃除面ＳＳに沿わせてローラー部１０を回転しながら移動させ、掃除面ＳＳにあるゴミを帯電電荷の作用により回転掃除部１７に吸着させる。吸着されたゴミは、収容容器３０ａの摩擦面３１で帯電状況を変化させ、開口部３２で帯電電荷の作用により回転掃除部１７から離されて収容容器３０ａに収容される。つまり、掃除道具１Ａは、電気による動力を用いない簡単な構造で安定した帯電電荷を発生させるので、掃除面ＳＳの状況によらず、掃除面ＳＳを容易にかつ均質に掃除できる。
掃除道具１Ａは、帯電列における位置が異なる２種類の絶縁体を摩擦させて互いに帯電させ、異なる極性を有する電荷の間での吸引力、同じ極性を有する電荷の間での反発力を利用してゴミを吸着し、またゴミを分離する。このため、掃除道具１Ａは、動力を全く用いないで効率の良い掃除を効果的に行うから、極めて高い利便性を有する。
掃除面ＳＳは、例えば、床、カーペット、畳、テーブルの表面、棚などである。また、ゴミは、芥（糸屑、紙屑などの小さなゴミ）、塵（ちり、ほこり。綿ぼこり）などである。
【００１７】
以下、各構成について更に詳細を説明する。
［ローラー部１０について］
支持軸１５の回転と回転体１６の回転は同期または非同期のいずれでも良い。支持軸１５と回転体１６が一体化（固定）されている場合には、支持軸１５と回転体１６は同期して回転し、支持軸１５と回転体１６が分離されてそれぞれが個別に回転する場合には、回転体１６は支持軸１５に対して非同期で回転する。回転掃除部１７および摩擦面３１における帯電は、回転掃除部１７が回転して摩擦面３１と摩擦することによって生じるから、摩擦帯電を生じるためには、回転掃除部１７が掃除面ＳＳを回転して移動すれば良く、支持軸１５は、回転しても回転しなくてもどちらでも良い。つまり、支持軸１５は、回転体１６を単に支持すれば良い。
支持軸１５の直径は、例えば５ｍｍ〜１０ｍｍ程度である。また、支持軸１５の両端は、枝部５０ｂの先端に形成された貫通穴（不図示）を貫通して適宜の軸止め構造を有する留具２０で枝部５０ｂに留められる。支持軸１５は、アルミニウム、アルミニウム合金、ポリプロピレンなどで形成される。支持軸１５の長さは、例えば１０〜３０ｃｍ程度である。支持軸１５の長さは、枝部５０ｂを貫通して留具で保持される長さが必要となるので、回転体１６の長さよりやや長い。
【００１８】
回転体１６は、支持軸１５と同一部材で形成されても良く、支持軸１５とは別部材で形成されても良い。回転体１６は例えばポリプロピレン（ＰＰ）、塩化ビニールなどで形成される。ポリプロピレンは、強度が高く、軽量であるので、ローラー部１０の強度を確保して軽量化ができる。回転体１６の外径は、例えば２ｃｍ〜１０ｃｍ程度であり、掃除道具１Ａの大きさに適合させて設定される。回転体１６は、円柱状としての破断状態を示す（図２）が、例えば内径と外径との間にスポークが配置された円筒状でも良い。
回転掃除部１７は、例えばポリエステル繊維の毛材で形成され、毛丈が例えば５〜１５ｍｍ程度の毛材が回転体１６に多数植毛状態で接着されて形成される。つまり、回転掃除部１７は、毛材が回転体１６に対して綿状に配置された状態である。回転掃除部１７は、綿状であるから開口部３２に対する位置決めにより容易にかつ確実に摩擦面３１と接触状態を実現する。回転掃除部１７（ローラー部１０）は、例えばペンキ塗りに適用されるペンキ用ローラーに類似した形態である。
綿状とされた回転掃除部１７は、固形物のような固定した外径寸法を持たないが、摩擦面３１に接触して摩擦される外径を有する。回転掃除部１７の外径は、毛材の種類、毛丈、密度等で規定される。本実施の形態では、回転体１６の外径は、約５ｃｍで、回転掃除部１７の外径は、約７ｃｍである。
【００１９】
［収容容器３０ａについて］
収容容器３０ａは、ほぼ直方体であり、保持部５０に対向する保持面３５に軸穴（図２の保持軸３８を参照）が形成され、支持軸１５と平行に配置された保持軸３８が留具２１を介して保持部５０に固定される。なお、収容容器３０ａは、開口部３２を備える摩擦面３１を確保できる形状であれば良く、特に直方体に限定されない。摩擦面３１は、回転掃除部１７との間で摩擦を生じる配置であれば良い。また、摩擦面３１は、開口部３２の周囲において、回転掃除部１７と摩擦されるように配置される。摩擦方向は、一方向に限らず、逆方向も含まれる。したがって、摩擦面３１は、開口部３２の両側に配置される。
保持部５０が収容容器３０ａを保持する態様として、保持軸３８が収容容器３０ａの保持面３５を貫通する場合（図２）を例示したが、保持軸３８に限らない。つまり、保持面３５が保持部５０に保持される形態であれば良い。保持面３５は、例えば、保持部５０に保持される結合部材を有する形態でも良い。具体的には、保持面３５に凸状部材（又は凹状部材）、保持部５０（枝部５０ｂ）に凹状部材（又は凸状部）を組み合わせて相互に嵌め込まれる形態であっても良い。
収容容器３０ａは、例えばナイロンシートで形成される。収容容器３０ａの全体がナイロンシートである場合には、摩擦面３１は、ナイロンシートで形成されるから、ポリエステル繊維で形成された回転掃除部１７との摩擦で容易に互いに異なる電荷を帯電する。
【００２０】
なお、回転掃除部１７に接触する摩擦面３１が帯電すれば良いことから、収容容器３０ａ全体を摩擦面３１と同種の絶縁体で形成する必要は無い。例えば、開口部３２が配置された摩擦面３１はナイロンシートで形成され、他の面は適宜の強度と形状を有する他の合成樹脂で形成されても良い。
ナイロンシートで収容容器３０ａを形成した場合、ナイロンシートの強度を補うために、例えば直方体の各稜に位置する骨組みを内側に組み込んでも良い。あるいは、箱型容器の表面にナイロンシートを張り付ける形態でも良い。
【００２１】
摩擦面３１は、ゴミが開口部３２に到達する前に回転掃除部１７と接触して帯電状態を変化させる。つまり、摩擦面３１は、開口部３２の周囲に配置される。収容容器３０ａが直方体であれば開口部３２を有する面全体を摩擦面３１とすることによって、回転掃除部１７と摩擦面３１との間で安定した摩擦が生じる。開口部３２は、支持軸１５の長さ方向に平行な２つの長辺と支持軸１５と交差する方向の２つの短辺を有する矩形状であることが好ましい。開口部３２は、矩形状であることから、効率的にゴミを収容できる。
収容容器３０ａは、ゴミを取り出す取り出し部（不図示。図３の取り出し部４０を参照）を摩擦面３１とは異なる面に有しても良い。あるいは、留具２１を解除して収容容器３０ａを保持部５０から取り外し、開口部３２からゴミを廃棄しても良い。
摩擦面３１は、回転掃除部１７の曲率に沿わせて湾曲し、回転掃除部１７に対する接触面積（摩擦面積）を拡大しても良い。回転掃除部１７と摩擦面３１との摩擦面積の拡大により、帯電電荷の帯電量を増やすことで回転掃除部１７のゴミに対する吸着作用を向上できる。収容容器３０ａがナイロンシートで形成された場合、支持軸１５と保持軸３８との間隔を短くして回転掃除部１７と摩擦面３１との間隔を詰めると、摩擦面３１は回転掃除部１７の外径に沿って変形され相互間の接触面積を拡大できる。
【００２２】
［保持部５０について］
保持部５０は、ローラー部１０の両端に対称に配置された２つの枝部５０ｂと、２つの枝部５０ｂを結合する結合部５３とを有するＵ字型（音叉型）である。２つの枝部５０ｂは、それぞれの先端で支持軸１５の両端を保持し、回転掃除部１７に接触させて収容容器３０ａを保持する
したがって、掃除道具１Ａは、枝部５０ｂの先端側（支持軸１５）を起点にして、掃除面ＳＳに対する保持部５０の傾きが調整されるので、高い操作性を有する。
対向する２つの枝部５０ｂの先端を貫通した支持軸１５は、留具２０で枝部５０ｂに留められる。また、枝部５０ｂの中間に収容容器３０ａ（保持面３５）が留具２１で留められる。枝部５０ｂは、支持軸１５の両端および収容容器３０ａの両側の保持面３５を位置決めするために、ローラー部１０および収容容器３０ａの両側に対称に配置される。枝部５０ｂは、細長いＩ字型の板状であり、先端とは逆の根元にＵ字型の一部を構成する結合部５３を一体に有する。
枝部５０ｂは、回転掃除部１７と摩擦面３１とが接触して摩擦するように支持軸１５と収容容器３０ａとを位置決めする。保持部５０は、例えばアルミニウム、アルミニウム合金などの軽量金属が強度、軽量化、安全性などから好ましい。
また、収容容器３０ａは、ローラー部１０に対して掃除面ＳＳから離れた斜め上側に配置されるので、摩擦面３１が回転掃除部１７に対して摩擦している状態を容易に確認できる。したがって、摩擦面３１と回転掃除部１７との摩擦による摩擦帯電を信頼性良く発生できる。
【００２３】
結合部５３の中央の外側には取手６０が連結される。取手６０は枝部５０ｂの延長方向と平行に配置され、掃除面ＳＳに対する傾斜は枝部５０ｂ（保持部５０）と一致する。したがって、取手６０は、回転掃除部１７に対する開口部３２の位置（掃除面ＳＳに対する傾斜角）を容易にかつ正確に調整できる。取手６０は、操作者（不図示）によって掃除面ＳＳに対する傾きを変えられて操作性が調整される。取手６０は、操作者が持ちやすい部材で形成される。保持部５０と同一の素材でも良く、あるいは異なる素材でも良い。
【００２４】
［その他の補足事項について］
摩擦面３１は、図の見やすさを考慮して、回転掃除部１７に対して外接する状態で示される（図２）。具体的には、摩擦面３１（開口部３２の周囲）が回転掃除部１７に接触している。摩擦面３１と回転掃除部１７との接触面積は図示した以上に大きくされる。例えば、摩擦面３１は、回転掃除部１７の円弧に沿わせて予め湾曲された形状を有する場合、摩擦面３１と回転掃除部１７の摩擦面積は、更に広がり帯電電荷を増やせる。
摩擦面３１の湾曲は、回転掃除部１７に摩擦面３１を押し付けることによって生じる。つまり、摩擦面が柔軟性を有する柔らかい素材で形成された場合、回転掃除部１７に押し付けられた摩擦面３１は、回転掃除部１７に沿って湾曲する。この場合、摩擦面３１は、回転掃除部１７の外径を圧縮して縮め、開口部３２と周囲の摩擦面３１が回転掃除部１７を押し込む形態となるので、相互間の摩擦は、面積が広くかつ強くなり帯電電荷量が多くなる。
【００２５】
収容容器３０ａがナイロンシートで形成された場合、支持軸１５と保持軸３８との間の距離を短くすることにより、摩擦面３１を回転掃除部１７に沿わせて湾曲させることが容易となる。摩擦面３１が回転掃除部１７に沿って湾曲すれば、摩擦による帯電電荷は増えるので、回転掃除部１７におけるゴミの吸着力は向上する。摩擦面３１は、掃除道具１Ａに必要な帯電電荷が得られる面積および形状を有すれば良い。つまり、摩擦面３１は、開口部３２の周囲に限定して配置されても良い。
掃除道具１Ａは、ローラー部１０および収容容器３０ａなどの主要部材を構成する素材として、摩耗、各種環境に強い、ポリエステル繊維、ナイロンシート、塩化ビニール、アクリル板などが適用される。したがって、掃除道具１Ａは、メンテナンスの必要性がほとんどなく、電気代が不要で安価に製造される。
【００２６】
なお、ローラー部１０が一つの場合について説明したが、ローラー部１０は少なくとも一つあれば良く、ローラー部１０は、複数個並列あるいは複数個直列に連結して、掃除させることができる。ローラー部１０を連結することによって、掃除範囲を拡大することができる。
支持軸１５の延長方向にローラー部１０を複数配置する直列連結の場合は、複数の結合部５３を支持軸１５の方向に沿って配置し、複数の結合部５３を相互に連結することで実現される。また、支持軸１５と交差する方向にローラー部１０を複数配置する並列連結の場合は、複数の結合部５３を支持軸１５と交差する方向に沿って配置し、複数の結合部５３を相互に連結することで実現される。
【００２７】
［実施の形態２］
図３および図４を参照して、本発明の実施の形態２に係る掃除道具１Ｂについて説明する。
図３は、本発明の実施の形態２に係る掃除道具１Ｂの支持軸１５の軸方向から見た概要を示す側面図である。
図４は、図３に示した掃除道具１Ｂの要部を支持軸１５と直交する平面で切断したときの要部断面図である。
【００２８】
掃除道具１Ｂは、実施の形態１に係るローラー部１０を収容容器３０ｂの両側に一対配置している。つまり、掃除道具１Ｂは、２個のローラー部１０（第１ローラー部１０ｆおよび第２ローラー部１０ｓ）を有する点、収容容器３０ａに相当する収容容器３０ｂは、２個の摩擦面３１（第１摩擦面３１ｆおよび第２摩擦面３１ｓ）を有する点が掃除道具１Ａに対して主に異なる。基本的な構成は、実施の形態１と同様であるので主に実施の形態１と異なる事項について説明する。
第１ローラー部１０ｆは、ローラー部１０（実施の形態１）と同様、支持軸１５（実施の形態１）としての第１支持軸１５ｆ、回転体１６（実施の形態１）としての第１回転体１６ｆ、および回転掃除部１７（実施の形態１）としての第１回転掃除部１７ｆを有する。第２ローラー部１０ｓは、ローラー部１０と同様、支持軸１５としての第２支持軸１５ｓ、回転体１６としての第２回転体１６ｓ、および回転掃除部１７としての第２回転掃除部１７ｓを有する。第１支持軸１５ｆ、第１回転体１６ｆ、第１回転掃除部１７ｆ、第２支持軸１５ｓ、第２回転体１６ｓ、および第２回転掃除部１７ｓは、それぞれローラー部１０と同様の構成、作用を有するので適宜説明を省略する。
【００２９】
収容容器３０ａに相当する収容容器３０ｂは、摩擦面３１（実施の形態１）としての第１摩擦面３１ｆおよび第２摩擦面３１ｓを有する。第１摩擦面３１ｆは、開口部３２（実施の形態１）としての第１開口部３２ｆを有し、第２摩擦面３１ｓは、開口部３２としての第２開口部３２ｓを有する。
本実施の形態に係る掃除道具１Ｂにおいて、ローラー部１０は、２個が平行に配置されて一方が第１ローラー部１０ｆ、他方が第２ローラー部１０ｓとされる。第１ローラー部１０ｆは、回転掃除部１７としての第１回転掃除部１７ｆを有し、第２ローラー部１０ｓは、回転掃除部１７としての第２回転掃除部１７ｓを有する。
【００３０】
保持部５１は、第１ローラー部１０ｆの一端および第２ローラー部１０ｓの一端を保持して連結する第１連結部５２ｆ（図３では、手前実線部分）と、第１ローラー部１０ｆの他端および第２ローラー部１０ｓの他端を保持する第２連結部５２ｓ（図３では、向う側。第１連結部５２ｆに重なるので図では表示されない。）と、を有する。第１連結部５２ｆおよび第２連結部５２ｓは、第１ローラー部１０ｆと第２ローラー部１０ｓとの間で収容容器３０ｂを保持する。
収容容器３０ｂは、第１回転掃除部１７ｆの側に配置された開口部３２としての第１開口部３２ｆと、第２回転掃除部１７ｓの側に配置された開口部３２としての第２開口部３２ｓとを有し、第１開口部３２ｆが形成された摩擦面３１としての第１摩擦面３１ｆと、第２開口部３２ｓが形成された摩擦面３１としての第２摩擦面３１ｓとを有する。
【００３１】
第１ローラー部１０ｆと第２ローラー部１０ｓは、平行に配置され、ローラー部１０として動作する。したがって、掃除道具１Ｂが移動すると、第１ローラー部１０ｆと第２ローラー部１０ｓは、それぞれ同様に回転しながら同方向に移動する。このため、第１ローラー部１０ｆ（第１回転掃除部１７ｆ）は第１摩擦面３１ｆと相互に摩擦し、第２ローラー部１０ｓ（第２回転掃除部１７ｓ）は第２摩擦面３１ｓと相互に摩擦する。したがって、第１ローラー部１０ｆと第２ローラー部１０ｓは、第１回転掃除部１７ｆと第２回転掃除部１７ｓがそれぞれ帯電状態となって、掃除面ＳＳのゴミを吸着させる。
また、第１回転掃除部１７ｆあるいは第２回転掃除部１７ｓに吸着されたゴミは、第１ローラー部１０ｆおよび第２ローラー部１０ｓの移動によって、第１回転掃除部１７ｆでは第１開口部３２ｆから収容容器３０ｂへ収容され、第２回転掃除部１７ｓでは第２開口部３２ｓから収容容器３０ｂへ収容される。つまり、掃除道具１Ｂが移動するときに第１回転掃除部１７ｆと第２回転掃除部１７ｓの両方が掃除面ＳＳを移動するので単位移動距離毎の掃除領域を２倍に増やして、ゴミを収集する能力を約２倍に向上できる。したがって、掃除道具１Ｂは、ゴミ収集効率を向上する。
【００３２】
また、離れて配置された２つのローラー部１０（第１ローラー部１０ｆおよび第２ローラー部１０ｓ）は、掃除面ＳＳに平行に沿う状態となる。したがって、掃除面ＳＳに対する掃除道具１Ｂの位置、ひいては収容容器３０ｂの位置が安定し、回転掃除部１７と摩擦面３１との間の摩擦状態が安定するので、ゴミ収集能力が向上する。
第１ローラー部１０ｆと第２ローラー部１０ｓとは、ローラー部１０として同じ形状（大きさ）であることが好ましい。同一形状である場合、第１ローラー部１０ｆと第２ローラー部１０ｓは、容易に同期して回転できるので、共通連結部５４の傾斜位置に関係なく円滑に掃除面ＳＳを移動できる。また、第１ローラー部１０ｆと第２ローラー部１０ｓでの動作を同様にすることができる。
【００３３】
以下、各構成について更に詳細を説明する。
［保持部５１について］
第１連結部５２ｆおよび第２連結部５２ｓは、同一の形状であり、細長いＩ字型の板状部材である。第１連結部５２ｆは、第１支持軸１５ｆおよび第２支持軸１５ｓに留具２２を介して連結される。第２連結部５２ｓは、第１支持軸１５ｆおよび第２支持軸１５ｓに留具２３を介して連結される。したがって、第１支持軸１５ｆおよび第２支持軸１５ｓと、第１連結部５２ｆおよび第２連結部５２ｓとは、矩形の枠を形成するので、保持部５１は、第１ローラー部１０ｆおよび第２ローラー部１０ｓを確実に位置決めして平行に配置する。また、第１連結部５２ｆおよび第２連結部５２ｓは、平行に向き合って正確に位置決めされる。
保持部５１は、第１連結部５２ｆと第２連結部５２ｓとを連結するＵ字型の共通連結部５４を有する。共通連結部５４は、対称的に配置された第１分岐脚部５４ｆおよび第２分岐脚部５４ｓと、第１分岐脚部５４ｆおよび第２分岐脚部５４ｓを結合する結合部５４ｃとを有する。
【００３４】
第１分岐脚部５４ｆの先端および第２分岐脚部５４ｓの先端は、収容容器３０ｂを貫通して第１連結部５２ｆおよび第２連結部５２ｓに連結された保持軸３９の両端に位置合わせされ、留具５５、留具５５によって連結される。
共通連結部５４は、正確に位置決めされた第１連結部５２ｆおよび第２連結部５２ｓに連結される。また、共通連結部５４は、ローラー部１０の両端に個別に配置された第１連結部５２ｆおよび第２連結部５２ｓに対してそれぞれ連結するから、第１ローラー部１０ｆおよび第２ローラー部１０ｓを一体的に連結して動作させることが可能となる。つまりり、共通連結部５４は、第１ローラー部１０ｆおよび第２ローラー部１０ｓを同時に安定して動作させるので、ゴミ収集能力を安定化させる。
【００３５】
［収容容器３０ｂについて］
収容容器３０ｂは、第１開口部３２ｆを有する第１摩擦面３１ｆおよび第２開口部３２ｓを有する第２摩擦面３１ｓを第１ローラー部１０ｆおよび第２ローラー部１０ｓに挟まれた状態で、第１連結部５２ｆおよび第２連結部５２ｓに対向する保持面３６を介して第１連結部５２ｆおよび第２連結部５２ｓに連結される。
収容容器３０ｂは、保持面３６を貫通する保持軸３９の両端の留具５５（第１連結部５２ｆの側）、留具５５（第２連結部５２ｓの側）によって第１連結部５２ｆおよび第２連結部５２ｓに連結される。つまり、保持軸３９は、第１連結部５２ｆ、第２連結部５２ｓに対向する保持面３６を貫通し、第１連結部５２ｆに留具５５で連結され、第２連結部５２ｓに留具５５で連結される。
収容容器３０ｂは、第１連結部５２ｆおよび第２連結部５２ｓにそれぞれ対向する２つの保持面３６を貫通して第１連結部５２ｆおよび第２連結部５２ｓに連結される保持軸３９によって保持される。
【００３６】
保持軸３９は、第１連結部５２ｆおよび第２連結部５２ｓに正確に位置合わせされる。したがって、保持軸３９が貫通する収容容器３０ｂは、第１回転掃除部１７ｆおよび第２回転掃除部１７ｓに正確に接触して確実な摩擦を生じる。
なお、保持軸３９に替えて、保持面３６、第１連結部５２ｆ、および第１分岐脚部５４ｆを合せて連結する留具と、保持面３６、第２連結部５２ｓ、第２分岐脚部５４ｓを合せて連結する留具とを配置しても良い。この構成によれば、収容容器３０ｂを横断する保持軸３９は省略される。また、第１分岐脚部５４ｆおよび第２分岐脚部５４ｓは、第１連結部５２ｆおよび第２連結部５２ｓと、保持面３６とを小さい寸法の留具で連結できる。
【００３７】
収容容器３０ｂは、直方体であり、第１開口部３２ｆが配置された第１摩擦面３１ｆと、第２開口部３２ｓが配置された第２摩擦面３１ｓとを有する。第１摩擦面３１ｆおよび第２摩擦面３１ｓは、互いに対向する位置に配置される。
収容容器３０ｂは、例えばナイロンシートで形成された場合、第１支持軸１５ｆと第２支持軸１５ｓとの間の距離を短くすることにより、収容容器３０ｂの２つの摩擦面３１（第１摩擦面３１ｆおよび第２摩擦面３１ｓ）を回転掃除部１７（第１回転掃除部１７ｆおよび第２回転掃除部１７ｓ）に沿わせて湾曲させることができる。
また、収容容器３０ｂは、第１摩擦面３１ｆおよび第２摩擦面３１ｓがそれぞれ第１回転掃除部１７ｆおよび第２回転掃除部１７ｓの形状に沿って接触するように予め湾曲した形に成型されても良い。
なお、第１摩擦面３１ｆおよび第２摩擦面３１ｓ以外の帯電が不要となる非接触面（収容容器３０ｂの内側）は、金属箔を貼り付けることにより、収容容器３０ｂの内側でのゴミの吸着を防止できる。
収容容器３０ｂの開口部３２（第１開口部３２ｆ、第２開口部３２ｓ）が配置された摩擦面３１（第１摩擦面３１ｆ、第２摩擦面３１ｓ）は、回転掃除部１７（第１回転掃除部１７ｆ、第２回転掃除部１７ｓ）の円弧に沿わせて湾曲させた形状であれば、開口部３２と回転掃除部１７との摩擦面３１積が大きくなり帯電電荷を多くすることができる。
収容容器３０ｂが、例えば直方体の箱で形成されている場合、第１摩擦面３１ｆおよび第２摩擦面３１ｓの表面に予め選定した絶縁体を張り付けて摩擦面とすることができる。この場合、第１摩擦面３１ｆの表面に例えばナイロンシートが張り付けられ、第２摩擦面３１ｓの表面に例えばポリプロピレン（繊維／布）が張り付けられる。
収容容器３０ｂは、収容したゴミを取り出す取り出し部４０を有する。本実施の形態では、第１摩擦面３１ｆと第２摩擦面３１ｓの間の天面側に配置されている。取り出し部４０は、収容したゴミの廃棄を容易にする。
【００３８】
共通連結部５４には取手６１が取り付けられている。取手６１は、共通連結部５４の結合部５４ｃの外側に連結される。取手６１は、第１分岐脚部５４ｆおよび第２分岐脚部５４ｓの延長方向と平行に配置され、実施の形態１の取手６０と同様に作用するので、掃除道具１Ｂの操作性が向上する。
【００３９】
［絶縁体の組み合わせについて］
第１回転掃除部１７ｆおよび第２回転掃除部１７ｓは、同じ絶縁体で形成され、第１摩擦面３１ｆおよび第２摩擦面３１ｓは、同じ絶縁体で形成されている。
第１回転掃除部１７ｆおよび第２回転掃除部１７ｓは、同じ絶縁体で形成されていることから、部材点数を抑制してローラー部１０（第１ローラー部１０ｆおよび第２ローラー部１０ｓ）を容易に形成できる。また、第１摩擦面３１ｆおよび第２摩擦面３１ｓは、同じ絶縁体で形成されていることから、部材点数を抑制して収容容器３０ｂを容易に形成できる。
第１回転掃除部１７ｆおよび第２回転掃除部１７ｓは、例えば、ポリエステル繊維で形成され、収容容器３０ｂ（第１摩擦面３１ｆおよび第２摩擦面３１ｓ）は、例えば、ナイロンシートで形成されている。これらの絶縁体の組み合わせによれば、ポリエステル繊維に負電荷が摩擦帯電し、ナイロンシートに正電荷が摩擦帯電する。したがって、実施の形態１と同様に電荷の吸着、反発が生じるのでゴミの吸着、収容ができる。
【００４０】
［実施の形態３：実施の形態２の変形］
本発明の実施の形態３に係る掃除道具１Ｂｃ（不図示）について説明する。
掃除道具１Ｂｃは、実施の形態２に係る掃除道具１Ｂにおける絶縁体の組み合わせを変更した他の組み合わせに係る。なお、掃除道具１Ｂｃの構造等は、掃除道具１Ｂと同一であるので、図３、図４の符号をそのまま転用して説明する。
【００４１】
掃除道具１Ｂｃにおいて、第１回転掃除部１７ｆおよび第２回転掃除部１７ｓは、互いに異なる絶縁体で形成され、第１摩擦面３１ｆおよび第２摩擦面３１ｓは、互いに異なる絶縁体で形成される。したがって、第１回転掃除部１７ｆで生じる帯電電荷の極性と、第２回転掃除部１７ｓで生じる帯電電荷の極性とは、逆の極性とすることができる。つまり、第１開口部３２ｆから収容容器３０ｂに収容されるゴミの帯電電荷と、第２開口部３２ｓから収容容器３０ｂに収容されるゴミの帯電電荷とは、逆の極性となる。
したがって、収容容器３０ｂに収容されたゴミの帯電電荷は、互いに逆極性の電荷が混在するので、収容容器３０ｂ内におけるゴミが有する帯電電荷は、互いに相殺されて中和される。したがって、掃除道具は、収容されたゴミが収容容器３０ｂに付着することを抑制しやすいので、ゴミの取り出し、廃棄が容易になる。
【００４２】
掃除道具１Ｂｃでは、第１回転掃除部１７ｆは、例えば、ポリプロピレン（繊維）で形成され、第２回転掃除部１７ｓは、例えば、ナイロン（繊維）で形成されている。第１回転掃除部１７ｆと摩擦を生じる第１摩擦面３１ｆは、例えば、ナイロンシートで形成され、第２回転掃除部１７ｓと摩擦を生じる第２摩擦面３１ｓは、例えば、ポリプロピレンで形成されている。なお、ナイロンとポリプロピレンとを例示したが、帯電列に関する条件を満たす絶縁体であれば、他の絶縁体の組み合わせとすることができる。
掃除道具１Ｂｃでは、第１回転掃除部１７ｆを形成する絶縁体（例えばポリプロピレン）は、第２摩擦面３１ｓを形成する絶縁体（例えばポリプロピレン）と同じであり、第２回転掃除部１７ｓを形成する絶縁体（例えばナイロン）は、第１摩擦面３１ｆを形成する絶縁体（例えばナイロン）と同じである。
したがって、第１回転掃除部１７ｆ、第２回転掃除部１７ｓ、第１摩擦面３１ｆ、および第２摩擦面３１ｓは、適用される絶縁体の種類が全体として２種類（ナイロンおよびポリプロピレン）に限定される。また、第１開口部３２ｆから収容容器３０ｂに放出されるゴミの帯電電荷と、第２開口部３２ｓから収容容器３０ｂに放出されるゴミの帯電電荷とは、互いに逆の極性となる。すなわち、掃除道具は、適用する絶縁体の種類を最小限に抑えてゴミの廃棄のしやすさを向上する。
【００４３】
これらの絶縁体の組み合わせによれば、第１ローラー部１０ｆでは、第１回転掃除部１７ｆ（ポリプロピレン）に負電荷、第１摩擦面３１ｆに正電荷が摩擦帯電し、第２ローラー部１０ｓでは、第２回転掃除部１７ｓ（ナイロン）に正電荷、第２摩擦面３１ｓに負電荷が摩擦帯電する。
したがって、第１ローラー部１０ｆ（第１回転掃除部１７ｆ）では、第１回転掃除部１７ｆの負電荷により第１回転掃除部１７ｆに吸着されたゴミは正電荷を帯電する。第１回転掃除部１７ｆに吸着されたゴミは、第１ローラー部１０ｆの回転に伴い、第１摩擦面３１ｆに接近する。第１摩擦面３１ｆへの接近に伴い、ゴミが帯電した正電荷は、第１摩擦面３１ｆの正電荷の影響を受けて負電荷となり帯電状態が変化する。ゴミが帯電した負電荷は、第１回転掃除部１７ｆの負電荷に反発する。このため、第１開口部３２ｆに到達したゴミは、第１回転掃除部１７ｆから離れて収容容器３０ｂに収容される。
【００４４】
第２ローラー部１０ｓ（第２回転掃除部１７ｓ）では、第２回転掃除部１７ｓの正電荷により第２回転掃除部１７ｓに吸着されたゴミは負電荷を帯電する。第２回転掃除部１７ｓに吸着されたゴミは、第２ローラー部１０ｓの回転に伴い、第２摩擦面３１ｓに接近する。第２摩擦面３１ｓへの接近に伴い、ゴミが帯電した負電荷は、第２摩擦面３１ｓの負電荷の影響を受けて正電荷となり帯電状態が変化する。ゴミが帯電した正電荷は、第２回転掃除部１７ｓの正電荷に反発する。このため、第２開口部３２ｓに到達したゴミは、第２回転掃除部１７ｓから離れて収容容器３０ｂに収容される。
【００４５】
第１ローラー部１０ｆから収容容器３０ｂに放出されたゴミは負電荷を有し、第２ローラー部１０ｓから収容容器３０ｂに放出されたゴミは正電荷を有する。したがって、収容容器３０ｂに収容された第１ローラー部１０ｆからのゴミと、第２ローラー部１０ｓからのゴミとは、互いに電荷を相殺し、帯電状態が抑制される。つまり、収容容器３０ｂに収容されたゴミは、帯電による静電吸引力および静電反発力が抑制されるから、収容容器３０ｂに吸着されにくくなる。掃除道具１Ｂｃは、ゴミの廃棄が容易となる。
なお、本実施の形態では、第１回転掃除部１７ｆと第２摩擦面３１ｓの絶縁体を同じとし、第２回転掃除部１７ｓと第１摩擦面３１ｆの絶縁体を同じとしたが、第１回転掃除部１７ｆと第２摩擦面３１ｓの絶縁体と異ならせ、第２回転掃除部１７ｓと第１摩擦面３１ｆの絶縁体を異ならせても良い。この場合、帯電列でナイロンとほぼ同様の位置にあるウール、ポリプロピレンとほぼ同様の位置にあるポリエステルなどを適用すれば、帯電電荷の極性に関する相関は同様とすることができる。
絶縁体の種類は、上記した例に限らず、設定する帯電電荷の極性に応じて、帯電列から適宜の素材を抽出することができる。
【００４６】
［実施の形態４］
図５および図６を参照して、本発明の実施の形態４に係る掃除道具１Ｃについて説明する。
図５は、本発明の実施の形態４に係る掃除道具の概要を示す斜視図である。
図６は、図５に示した掃除道具の要部を支持軸と直交する平面で切断したときの要部断面図である。
【００４７】
本実施の形態に係る掃除道具１Ｃは、実施の形態１の回転掃除部１７、実施の形態２の第１回転掃除部１７ｆ、第２回転掃除部１７ｓの代わりに無終端ベルト２６が適用されている。基本的な要素技術は、実施の形態１ないし実施の形態３と同様であるので重複する説明は適宜省略し、主に異なる事項について説明する。また、同一部分については、他の実施の形態での符号を引用する。
【００４８】
掃除道具１Ｃは、第１支持軸２４ｆの周りを回転しながら掃除対象である掃除面ＳＳに沿って移動する第１回転部２５ｆと、第１支持軸２４ｆに平行に配置された第２支持軸２４ｓの周りを回転しながら掃除面ＳＳに沿って移動する第２回転部２５ｓと、第１回転部２５ｆおよび第２回転部２５ｓの間に配置されてゴミを収容する収容容器３０ｃと、を備える。
また、掃除道具１Ｃは、第１支持軸２４ｆ、第２支持軸２４ｓ、および収容容器３０ｃを保持する保持部５６と、第１回転部２５ｆおよび第２回転部２５ｓの外側に配置され、第１回転部２５ｆおよび第２回転部２５ｓの回転により駆動される無終端ベルト２６と、を有する。
収容容器３０ｃは、無終端ベルト２６の外側に接触して相互に摩擦される摩擦面３１ｃと、無終端ベルト２６の幅方向で摩擦面３１ｃに形成され、ゴミが収容される開口部３２ｃとを有する。
【００４９】
無終端ベルト２６および摩擦面３１ｃは、互いに摩擦されたときに生じる電荷の極性関係を示す帯電列において互いに離れた位置となる異なる絶縁体で形成されている。
無終端ベルト２６を介して第１回転部２５ｆおよび第２回転部２５ｓを掃除面ＳＳに当てて回転させると無終端ベルト２６は、回転駆動される。このとき、無終端ベルト２６と摩擦面３１ｃは相互に接触しているから、無終端ベルト２６の回転に伴い、無終端ベルト２６と摩擦面３１ｃとは、相互に摩擦される。無終端ベルト２６および摩擦面３１ｃは、摩擦によって生じる電荷の極性を示す帯電列において、離れた位置を占める異なる絶縁体で形成されている。このため、無終端ベルト２６に帯電する電荷の極性と、摩擦面３１ｃに帯電する電荷の極性とは互いに異なる逆の極性となる。
【００５０】
本実施の形態では、無終端ベルト２６は、例えばポリエステル繊維で形成され、摩擦面３１ｃは、例えばナイロンシートで形成されている。この場合、無終端ベルト２６の帯電電荷の極性は、第１極性（例えば、負極性）となり、摩擦面３１ｃの帯電電荷の極性は、第１極性とは逆の第２極性（例えば、正極性）となる。
この帯電状態で、掃除面ＳＳに対して第１回転部２５ｆおよび第２回転部２５ｓを回転させて一方向へ移動させると、第１回転部２５ｆおよび第２回転部２５ｓの回転移動に伴って無終端ベルト２６は回転移動する。無終端ベルト２６の移動に伴って掃除面ＳＳのゴミは、無終端ベルト２６が帯電する第１極性（負極性）からの影響を受けて相対的に第２極性（正極性）に帯電し、正電荷と負電荷との間に作用する静電吸引力によって無終端ベルト２６に吸着される。無終端ベルト２６に吸着されたゴミは、無終端ベルト２６の回転に従って摩擦面３１ｃを経て開口部３２ｃへ到達する。
【００５１】
まず摩擦面３１ｃに到達したゴミ（正極性）は、摩擦面３１ｃの第２極性（正）からの影響を受けて相対的に第１極性（負極性）に帯電状態が変化する。つまり、ゴミは、摩擦面３１ｃの第２極性の電荷からの影響で第１極性（負極性）に帯電し、開口部３２ｃへの移動に伴って無終端ベルト２６が帯電している第１極性（負極性）の電荷と同じ極性となり、同じ極性の電荷の間に作用する静電反発力によって相互に反発する。したがって、無終端ベルト２６に吸着されていたゴミ（負極性）は、開口部３２ｃで無終端ベルト２６（負極性）から離れて収容容器３０ｃの内部へ収容される。
【００５２】
掃除道具１Ｃは、掃除面ＳＳに沿わせて無終端ベルト２６を回転しながら移動させ、掃除面ＳＳにあるゴミを帯電電荷の作用により無終端ベルト２６に吸着させる。吸着されたゴミは、収容容器３０ｃの摩擦面３１ｃで帯電状況を変化させ、開口部３２ｃで帯電電荷の作用により無終端ベルト２６から離されて収容容器３０ｃに収容される。つまり、掃除道具１Ｃは、電気による動力を用いない簡単な構造で容易に掃除面ＳＳを掃除できる。
掃除道具１Ｃは、帯電列における位置が異なる２種類の絶縁体を摩擦させて互いに帯電させ、異なる極性を有する電荷の間での吸引力、同じ極性を有する電荷の間での反発力を利用する。このため、掃除道具１Ｃは、動力を全く用いないで効率の良い掃除を効果的に行うから、極めて高い利便性を実現する。
【００５３】
第１回転部２５ｆおよび第２回転部２５ｓが、図において時計回りで回転するとき、無終端ベルト２６は、第１回転部２５ｆおよび第２回転部２５ｓに追随して時計回りで回転する。この場合、第２回転部２５ｓの側で無終端ベルト２６に吸着されたゴミは、開口部３２ｃから収容容器３０ｃに収容される。また、反時計回りのときは、第１回転部２５ｆの側で無終端ベルト２６に吸着されたゴミが開口部３２ｃから収容容器３０ｃに収容される。
ポリエステル繊維で形成された無終端ベルト２６は、例えば布に毛材が織り込まれ、厚みは例えば０．５ｍｍ程度で十分な強度を確保できた。
無終端ベルト２６は、ベルトの長さの伸縮により第１回転部２５ｆおよび第２回転部２５ｓの回転に影響が及ばないように伸縮の少ない素材（布）を選ぶことが好ましい。また、無終端ベルト２６は、掃除面ＳＳの凹凸の影響を受けないように０．５ｃｍから１ｃｍ程度となるように毛材と布を合わせた高さを厚みとすることが好ましい。
【００５４】
以下、各構成について更に詳細を説明する。
［保持部５６について］
保持部５６は、第１支持軸２４ｆ、第２支持軸２４ｓ、および収容容器３０ｃを保持する枠体５６ｆと、無終端ベルト２６の天面側を覆って枠体５６ｆに結合された天板５６ｔとを有する。枠体５６ｆおよび天板５６ｔは、無終端ベルト２６を囲むので周囲環境から無終端ベルト２６を保護する。このため、無終端ベルト２６は、信頼性を向上できる。また、無終端ベルト２６の帯電電荷が周囲へ及ぼす影響を抑制できる。
第１支持軸２４ｆおよび第２支持軸２４ｓは、留具５８、留具５８によってそれぞれ枠体５６ｆに連結される。枠体５６ｆと天板５６ｔとは例えばプラスチックで成型され、同一素材で一体の箱形に形成されても良い。
【００５５】
天板５６ｔには掃除面ＳＳに対する角度を変えられる天板連結部５７が取付部５７ｂを介して連結されている。天板連結部５７には取手６２が連結されている。天板連結部５７は、取付部５７ｂが有する回転部材を介して連結されるから掃除面ＳＳに対する傾きを自由に変更できるので、掃除面ＳＳに対する取手６２の傾きを調整することで天板連結部５７を操作しやすい傾きにすることができる。取手６２の傾きが変更されても、第１回転部２５ｆおよび第２回転部２５ｓは、掃除面ＳＳに沿った状態を安定して維持する。
枠体５６ｆは、保持面４１を貫通した保持軸４２を介して収容容器３０ｃを保持する。保持軸４２は、留具５９を介して枠体５６ｆに連結される。天板連結部５７は、天板５６ｔではなく、枠体５６ｆに保持軸４２と連結されても良い。また、天板連結部５７は、取付部５７ｂを除いて枠体５６ｆに直接連結されても良い。
【００５６】
［収容容器３０ｃについて］
収容容器３０ｃは、各稜が面取りされた直方体である。収容容器３０ｃは、第１支持軸２４ｆおよび第２支持軸２４ｓと平行な方向に長さを有し、第１支持軸２４ｆおよび第２支持軸２４ｓと交差する面での切断端面は、略矩形である。収容容器３０ｃは、直方体であるから、天面に配置された摩擦面３１ｃは、広い面積を確保して、摩擦面３１ｃと無終端ベルト２６との間の摩擦を確実に発生させる。したがって、摩擦面３１ｃと無終端ベルト２６の帯電電荷を増やせる。
また、収容容器３０ｃは、直方体であるから、無終端ベルト２６の回転に伴い、摩擦面３１ｃに加わる圧力に抗して安定した位置を維持できる。開口部３２ｃは天面に配置されるからゴミを安定的に収容する。なお、摩擦面３１ｃは、直方体の天面としたが、適宜の曲率を有する曲面としても良い。
【００５７】
収容容器３０ｃは、枠体５６ｆに対向する側に保持面４１を有する。保持面４１は、帯電電荷の発生には寄与しない。また、保持面４１は、枠体５６ｆに保持される強度が必要であるから、一定の強度を持たせることが好ましい。保持面４１は、例えば板部材で形成されると強度を確保しやすい。
なお、収容容器３０ｃは、保持軸４２で枠体５６ｆに保持される形態としたが、保持軸４２を用いずに、保持面４１と枠体５６ｆとの間の適宜の留具（不図示）で連結されても良い。
なお、収容容器３０ｃは、直方体に限らず円筒状でも良い。円筒状の収容容器３０ｃは、無終端ベルト２６と収容容器３０ｃ（摩擦面３１ｃ）との間での摩擦度が抑制されやすい。円筒状の収容容器３０ｃは、摩擦面３１ｃと無終端ベルト２６との間の摩擦面３１ｃ積を広くするので摩擦面３１ｃおよび無終端ベルト２６の帯電電荷を増やせる。円筒状の収容容器３０ｃは、無終端ベルト２６と摩擦面３１ｃでの摩擦力を抑制して摩耗を抑制するので、掃除道具１Ｃの信頼性（寿命）を高める。
【００５８】
［実施の形態５：実施の形態４の変形］
図７を参照して、本発明の実施の形態５に係る掃除道具１Ｄについて説明する。
図７は、本発明の実施の形態５に係る掃除道具１Ｄの無終端ベルト２７を天面側から見た平面状態を示す要部平面図である。
掃除道具１Ｄは、実施の形態４の掃除道具１Ｃの無終端ベルト２６を変形した無終端ベルト２７を有し、その他の構成は、掃除道具１Ｃと同一である。したがって、主に無終端ベルト２７について説明する。また、同一部分については、実施の形態４で用いた符号を引用する。
【００５９】
掃除道具１Ｄにおいて、無終端ベルト２７は、幅方向に平行に並べられた複数の並列ベルト２７ａ、並列ベルト２７ｂ、および並列ベルト２７ｃで形成されている（以下、単に並列ベルトそれぞれを示す場合に、並列ベルト２７ｄ（不図示）とすることがある。）。少なくとも１の並列ベルト２７ｄ（例えば、並列ベルト２７ａ）を形成する絶縁体は、摩擦面３１ｃを形成する絶縁体に対して、帯電列において正極性側に位置し、少なくとも１の他の並列ベルト２７ｄ（例えば並列ベルト２７ｂ）を形成する絶縁体は、摩擦面３１ｃを形成する絶縁体に対して、帯電列において負極性側に位置する
各並列ベルト２７ｄ（並列ベルト２７ａ、並列ベルト２７ｂ、または並列ベルト２７ｃ）のそれぞれは、収容容器３０ｃを形成する絶縁体に対して、帯電列において正極性側に位置する絶縁体と負極性側に位置する絶縁体との異なる帯電極性を有する素材（絶縁体）で形成される。
【００６０】
掃除道具１Ｄは、各並列ベルト２７ｄ（並列ベルト２７ａ、並列ベルト２７ｂ、および並列ベルト２７ｃ）のそれぞれの帯電電荷の極性を互いに異ならせて、各並列ベルト２７ｄ（並列ベルト２７ａ、並列ベルト２７ｂ、および並列ベルト２７ｃ）のそれぞれが吸着するゴミの種類を異ならせるので、掃除能力が向上する。
例えば、収容容器３０ｃは、アクリル（アクリル板）で形成され、並列ベルト２７ａ、並列ベルト２７ｃは、ナイロンで形成され、並列ベルト２７ｂはポリエステルで形成された場合、並列ベルト２７ａ、並列ベルト２７ｃは、アクリル板に対して正極性に帯電し、並列ベルト２７ｂは、アクリル板に対して負極性に帯電する。したがって、各並列ベルト２７ｄは、それぞれが異なる性質のゴミを吸着する。
なお、並列ベルト２７ｄが３つ以上の奇数個配置された場合、中心の並列ベルト２７ｄ（例えば、並列ベルト２７ｂ）に対して両側に配置される並列ベルト２７ｄ（例えば、並列ベルト２ａ、並列ベルト２７ｃ）の特性を対称にすれば、極性の配列を安定にできる。
また、複数の並列ベルト２７ｄを配置することによって、幅の狭い並列ベルト２７ｄであっても幅の広い無終端ベルト２７とすることができる。また、並列ベルト２７ｄは、例えば紐状の素材を並置して形成することができるので、掃除道具１Ｄは、種々の多様な特性を持つことができる。
【産業上の利用可能性】
【００６１】
本発明に係る掃除道具は、高い利便性を有することから種々の掃除面に対して有効に利用できる。
【符号の説明】
【００６２】
１Ａ、１Ｂ、１Ｂｃ（不図示）、１Ｃ、１Ｄ  掃除道具
１０  ローラー部
１０ｆ  第１ローラー部
１０ｓ  第２ローラー部
１５  支持軸
１５ｆ  第１支持軸
１５ｓ  第２支持軸
１６  回転体
１６ｆ  第１回転体
１６ｓ  第２回転体
１７  回転掃除部
１７ｆ  第１回転掃除部
１７ｓ  第２回転掃除部
２０、２１、２３  留具
２４ｆ  第１支持軸
２４ｓ  第２支持軸
２５ｆ  第１回転部
２５ｓ  第２回転部
２６、２７  無終端ベルト
２７ａ、２７ｂ、２７ｃ、２７ｄ（不図示）  並列ベルト
３０ａ、３０ｂ、３０ｃ  収容容器
３１  摩擦面
３１ｃ  摩擦面
３１ｆ  第１摩擦面
３１ｓ  第２摩擦面
３２、３２ｃ  開口部
３２ｆ  第１開口部
３２ｓ  第２開口部
３５、３６  保持面
３８、３９  保持軸
４０  取り出し部
４１  保持面
４２  保持軸
５０、５１  保持部
５０ｂ  枝部
５２ｆ  第１連結部
５２ｓ  第２連結部
５３  結合部
５４  共通連結部
５４ｆ  第１分岐脚部
５４ｓ  第２分岐脚部
５４ｃ  結合部
５５  留具
５６  保持部
５６ｆ  枠体
５６ｔ  天板
５７  天板連結部
５７ｂ  取付部
５８、５９  留具
６０、６１、６２  取手
ＳＳ  掃除面
【図１】
2017023179.tif 000003
【図２】
2017023179.tif 000004
【図３】
2017023179.tif 000005
【図４】
2017023179.tif 000006
【図５】
2017023179.tif 000007
【図６】
2017023179.tif 000008
【図７】
2017023179.tif 000009
【図８】
2017023179.tif 000010